(57)【要約】【課題】半画角が３８度程度、Ｆナンバが２．８未満で十分に小型であり、非点収差や像面湾曲、倍率色収差、コマ収差の色差、歪曲収差等を十分に低減し、撮像領域の対角長が２０ｍｍ〜４５ｍｍ程度で、１０００万〜２０００万画素の撮像素子に対応した解像力を有する結像レンズを実現可能とする。【解決手段】物体側から像側へ向かって順に、第１レンズ群Ｉ、開口絞りＳ、第２レンズ群ＩＩを配設してなり、第１レンズ群は正の屈折力を有するか略アフォーカルで、第２レンズ群は正の屈折力を有する結像レンズにおいて、第１レンズ群を、物体側から像側へ向かって順に、第１ａレンズ群、第１ｂレンズ群、第１ｃレンズ群を配設して構成し、第２レンズ群ＩＩを、物体側から像側へ向かって順に、第２ａレンズ群、第２ｂレンズ群、第２ｃレンズ群を配設して構成し、第２ｂレンズ群の、最も物体側の面を凹面、最も像側の面を凸面とした結像レンズである。【選択図】図１
2014123146.tif 000002
【特許請求の範囲】
【請求項１】
物体側から像側へ向かって順に、第１レンズ群、開口絞り、第２レンズ群を配設してなり、第１レンズ群は正の屈折力を有するか略アフォーカルで、第２レンズ群は正の屈折力を有する結像レンズにおいて  
第１レンズ群を、物体側から像側へ向かって順に、像側に曲率の大きな面を向けた負レンズからなる第１ａレンズ群、物体側に曲率の大きな面を向けた負レンズからなる第１ｂレンズ群、単レンズまたは接合レンズからなり正の屈折力を有する第１ｃレンズ群を配設して構成し、  
第２レンズ群を、物体側から像側へ向かって順に、両凸レンズと両凹レンズを接合してなり正の屈折力を有する第２ａレンズ群、単レンズまたは接合レンズからなり負の屈折力を有する第２ｂレンズ群、正レンズからなる第２ｃレンズ群を配設して構成し、  
第２ｂレンズ群の、最も物体側の面を凹面、最も像側の面を凸面としたことを特徴とする結像レンズ。
【請求項２】
請求項１記載の結像レンズにおいて、  
無限遠物体に合焦した状態における第１レンズ群の最も物体側の面から像面までの距離：Ｌ、最大像高：Ｙ’、第２ｂレンズ群の焦点距離：ｆ２ｂ、第２レンズ群の焦点距離：ｆ２、第２ｂレンズ群の最も物体側の面の曲率半径：ｒ２ｂＦ、第２ｂレンズ群の最も像側の面の曲率半径：ｒ２ｂＲが、条件：
（１）  2.8 ＜ L/Y’  ＜ 4.3  
（２）  -3.0 ＜ f2b/f2 ＜ -0.4  
（３）  -6.0 ＜ (r2bF+r2bR)/(r2bF-r2bR) ＜ -2.0    
を満足することを特徴とする結像レンズ。
【請求項３】
請求項２記載の結像レンズにおいて、
第２ｂレンズ群を構成するレンズの屈折率の平均値：ｎｄ２ｂが、条件：
（４）  1.80 ＜ nd2b ＜ 2.20    
を満足することを特徴とする結像レンズ。
【請求項４】
請求項１〜３の任意の１に記載の結像レンズにおいて、  
第１ｂレンズ群を構成する負レンズの、物体側面の曲率半径：ｒ１ｂＦ、および、像側面の曲率半径：ｒ１ｂＲが、条件：
（５）  -7.0 ＜ (r1bF+r1bR)/(r1bF-r1bR) ＜ -0.7    
を満足することを特徴とする結像レンズ。
【請求項５】
請求項１〜４の任意の１に記載の結像レンズにおいて、  
最大像高：Ｙ’、無限遠物体に合焦した状態における第２レンズ群の最も像側の面から像面までの距離：Ｂｆが、条件：
（６）  0.8 ＜ Bf/Y’  ＜ 1.6  
を満足することを特徴とする結像レンズ。
【請求項６】
請求項１〜５の任意の１に記載の結像レンズにおいて、
無限遠物体に合焦した状態における第１レンズ群の最も物体側の面から像面までの距離：Ｌ、第１レンズ群の最も物体側の面から最も像側の面までの距離：Ｌ１が、条件：
（７）  0.20 ＜ L1/L ＜ 0.32    
を満足することを特徴とする結像レンズ。
【請求項７】
請求項１〜６の任意の１に記載の結像レンズにおいて、
全系の焦点距離：ｆＡ、第１レンズ群の焦点距離：ｆ１が、条件：
（８）  0.0 ＜ fA/f1 ＜ 0.6  
を満足することを特徴とする結像レンズ。
【請求項８】
請求項７記載の結像レンズにおいて、  
第１ａレンズ群と第１ｂレンズ群の合成焦点距離：ｆ１ａ-１ｂ、第１ｃレンズ群の焦点距離：ｆ１ｃが、条件：  
（９）  -1.3 ＜ f1a-1b/f1c ＜ -0.7  
を満足することを特徴とする結像レンズ。
【請求項９】
請求項１〜８の任意の１に記載の結像レンズにおいて、  
近距離物体への合焦に際し、第１レンズ群と第２レンズ群との間隔を、無限遠物体に合焦した状態よりも短縮することを特徴とする結像レンズ。
【請求項１０】
請求項９記載の結像レンズにおいて、
無限遠物体に合焦した状態における第１レンズ群と第２レンズ群の間隔：Ａ１-２、−１／２０倍の結像倍率で近距離物体に合焦した状態における第１レンズ群と第２レンズ群の間隔：Ａ１-２Ｍ、上記−１／２０倍の結像倍率で近距離物体に合焦した状態における第２レンズ群の最も像側の面から像面までの距離：ＢｆＭ、無限遠物体に合焦した状態における第２レンズ群の最も像側の面から像面までの距離：Ｂｆが、条件：
（１０）  -0.5 ＜ (A1-2M-A1-2)/(BfM-Bf) ＜ -0.2    
を満足することを特徴とする結像レンズ。  
【請求項１１】
請求項１〜１０の任意の１に記載の結像レンズを、撮影用光学系として有することを特徴とするカメラ。
【請求項１２】
請求項１〜１０の任意の１に記載の結像レンズを、カメラ機能部の撮影用光学系として有することを特徴とする携帯情報端末装置。
【発明の詳細な説明】
【技術分野】
【０００１】
この発明は、結像レンズ、カメラおよび携帯情報端末装置に関する。
【背景技術】
【０００２】
デジタルカメラが広く普及し、デジタルカメラに対するユーザの要望も多岐にわたっている。  
その中で、撮像領域の対角長が「２０ｍｍ〜４５ｍｍ程度」の比較的大きな撮像素子を使用し、高性能な単焦点レンズを搭載した「高画質のコンパクトカメラ」というカテゴリのデジタルカメラがユーザから大きな期待を集めている。  
このようなカテゴリのデジタルカメラに対するユーザの要望は、高性能であることに加え、携帯性に優れていること、即ち、小型であることに対するウエイトが高い。
【０００３】
高性能という面では、少なくとも１０００万〜２０００万画素の撮像素子に対応した解像力を有することに加え、絞り開放からコマフレアが少なく、高コントラストで「画角の周辺部まで点像の崩れがない」こと、色収差が少なく輝度差の大きな部分にも不要な色付きを生じないこと、歪曲収差が少なく直線を直線として描写可能なこと等が必要である。
【０００４】
大口径化という面では、ズームレンズを搭載した一般のコンパクトカメラとの差別を明確にできるように、少なくともＦ２．８未満が求められる。
【０００５】
小型化の面では、撮像素子が比較的大きいことよって実焦点距離が長くなるので「焦点距離または最大像高で正規化」した場合に、「小さな撮像素子を用いる場合よりも全長が短くなっている」ことが求められる。
【０００６】
また、撮影レンズの画角については「ある程度の広角を望むユーザ」が多く、結像レンズの半画角は３８度近傍であることが望ましい。半画角：３８度は「３５ｍｍ銀塩カメラ（いわゆるライカ版）換算の焦点距離で２８ｍｍに相当する。
【０００７】
デジタルカメラ用の結像レンズには多くの種類が考えられるが、広角単焦点レンズの代表的な構成としては「物体側に負の屈折力のレンズ群、像側に正の屈折力のレンズ群を配設した所謂レトロフォーカスタイプ」を挙げることができる。  
「画素ごとに色フィルタやマイクロレンズを有するエリアセンサ」の特性を鑑みると、射出瞳位置を像面から遠ざけて「周辺光束がセンサ面に対して垂直に近い角度で入射」するようにしたいという要求があり、この要求が「レトロフォーカスタイプが採用される主な理由」である。  
しかし、レトロフォーカスタイプはその屈折力配置の非対称性が大きく、コマ収差や歪曲収差、倍率色収差等の補正が不完全になりがちである。そもそも、レトロフォーカスタイプは「広角レンズを一眼レフカメラの交換レンズとして用いるためのバックフォーカス確保」を目的として登場してきた経緯があり、レンズ全長（最も物体側の面から像面までの距離）が大きくなりやすい。
【０００８】
レトロフォーカスタイプの結像レンズの従来例の中で、Ｆナンバが２．８未満、３８度前後の半画角を有しながら、各種収差が比較的良好に補正されてものとして、特許文献１、２等に開示されたものがある。  
特許文献１に開示された結像レンズは、半画角：４１．５度と広角ではあるものの、レンズ全長が「最大像高の６倍以上」と大きく、小型化の面でなお、改良の余地がある。
【０００９】
特許文献２に開示された結像レンズは、Ｆ１．９と大口径化の面では十分であるが、レンズ全長が最大像高の９倍以上と非常に大きく、小型化の面で不十分である。
【発明の概要】
【発明が解決しようとする課題】
【００１０】
この発明は上述した点に鑑みてなされたものであり、半画角が３８度程度と広角で、Ｆナンバが２．８未満と大口径でありながら十分に小型であり、非点収差や像面湾曲、倍率色収差、コマ収差の色差、歪曲収差等を十分に低減し、撮像領域の対角長が２０ｍｍ〜４５ｍｍ程度で、１０００万〜２０００万画素の撮像素子に対応した解像力を有すると共に、絞り開放から高コントラストで画角の周辺部まで点像の崩れがなく、輝度差の大きな部分にも不要な色付きを生じず、直線を直線として歪みなく描写可能な高性能の結像レンズの実現を可能ならしめること、このような結像レンズを用いて「小型で高画質のカメラ」、さらには携帯情報端末装置の実現を可能ならしめることを課題とする。
【課題を解決するための手段】
【００１１】
この発明の結像レンズは「物体側から像側へ向かって順に、第１レンズ群、開口絞り、第２レンズ群を配設してなり、第１レンズ群は正の屈折力を有するか略アフォーカルで、第２レンズ群は正の屈折力を有する結像レンズ」であって、以下の点を特徴とする（請求項１）。  
「第１レンズ群」は、物体側から像側へ向かって順に、第１ａレンズ群、第１ｂレンズ群、第１ｃレンズ群を配設して構成される。  
第１ａレンズ群は「像側に曲率の大きな面を向けた負レンズ」からなる。    
第１ｂレンズ群は「物体側に曲率の大きな面を向けた負レンズ」からなる。  
第１ｃレンズ群は「単レンズまたは接合レンズ」からなり、正の屈折力を有する。
【００１２】
従って、第１レンズ群は、物体側から像側に向かって「負・負・正」の屈折力配分を有する。
【００１３】
「第２レンズ群」は、物体側から像側へ向かって順に、第２ａレンズ群、第２ｂレンズ群、第２ｃレンズ群を配設して構成される。
【００１４】
第２ａレンズ群は「両凸レンズと両凹レンズを接合」してなり、正の屈折力を有する。  第２ｂレンズ群は「単レンズまたは接合レンズ」からなり、負の屈折力を有する。  
第２ｃレンズ群は「正レンズ」からなる。  
従って、第２レンズ群は、物体側から像側に向かって「正・負・正」の屈折力配分を有する。
【００１５】
そして、第２ｂレンズ群の「最も物体側の面」は凹面とされ、「最も像側の面」は凸面とされる。
【００１６】
請求項１記載の結像レンズは、無限遠物体に合焦した状態における第１レンズ群の最も物体側の面から像面までの距離：Ｌ、最大像高：Ｙ’、第２ｂレンズ群の焦点距離：ｆ２ｂ、第２レンズ群の焦点距離：ｆ２、第２ｂレンズ群の最も物体側の面の曲率半径：ｒ２ｂＦ、第２ｂレンズ群の最も像側の面の曲率半径：ｒ２ｂＲが、条件：
（１）  2.8 ＜ L/Y’  ＜ 4.3  
（２）  -3.0 ＜ f2b/f2 ＜ -0.4  
（３）  -6.0 ＜ (r2bF+r2bR)/(r2bF-r2bR) ＜ -2.0    
を満足することが好ましい（請求項２）。
【００１７】
この請求項２記載の結像レンズは、第２ｂレンズ群を構成するレンズの屈折率の平均値：ｎｄ２ｂが、条件：
（４）  1.80 ＜ nd2b ＜ 2.20    
を満足することが好ましい（請求項３）。
【００１８】
請求項１〜３の任意の１に記載の結像レンズは、第１ｂレンズ群を構成する負レンズの、物体側面の曲率半径：ｒ１ｂＦ、および、像側面の曲率半径：ｒ１ｂＲが、条件：
（５）  -7.0 ＜ (r1bF+r1bR)/(r1bF-r1bR) ＜ -0.7    
を満足することが好ましい（請求項４）。
【００１９】
請求項１〜４の任意の１に記載の結像レンズは、最大像高：Ｙ’、無限遠物体に合焦した状態における第２レンズ群の最も像側の面から像面までの距離：Ｂｆが、条件：
（６）  0.8 ＜ Bf/Y’  ＜ 1.6  
を満足することが好ましい（請求項５）。
【００２０】
請求項１〜５の任意の１に記載の結像レンズは、無限遠物体に合焦した状態における第１レンズ群の最も物体側の面から像面までの距離：Ｌ、第１レンズ群の最も物体側の面から最も像側の面までの距離：Ｌ１が、条件：
（７）  0.20 ＜ L1/L ＜ 0.32    
を満足することが好ましい（請求項６）。
【００２１】
請求項１〜６の任意の１に記載の結像レンズは、全系の焦点距離：ｆＡ、第１レンズ群の焦点距離：ｆ１が、条件：
（８）  0.0 ＜ fA/f1 ＜ 0.6  
を満足することが好ましい（請求項７）。
【００２２】
この請求項７記載の結像レンズは、第１ａレンズ群と第１ｂレンズ群の合成焦点距離：ｆ１ａ-１ｂ、第１ｃレンズ群の焦点距離：ｆ１ｃが、条件：  
（９）  -1.3 ＜ f1a-1b/f1c ＜ -0.7  
を満足することが好ましい（請求項８）。
【００２３】
請求項１〜８の任意の１に記載の結像レンズは「近距離物体への合焦に際し、第１レンズ群と第２レンズ群との間隔を、無限遠物体に合焦した状態よりも短縮する」ことが好ましい（請求項９）。
【００２４】
この請求項９記載の結像レンズは、無限遠物体に合焦した状態における第１レンズ群と第２レンズ群の間隔：Ａ１-２、「−１／２０倍の結像倍率」で近距離物体に合焦した状態における第１レンズ群と第２レンズ群の間隔：Ａ１-２Ｍ、「−１／２０倍の結像倍率」で近距離物体に合焦した状態における第２レンズ群の最も像側の面から像面までの距離：ＢｆＭ、無限遠物体に合焦した状態における第２レンズ群の最も像側の面から像面までの距離：Ｂｆが、条件：
（１０）  -0.5 ＜ (A1-2M-A1-2)/(BfM-Bf) ＜ -0.2    
を満足することが好ましい（請求項１０）。  
この発明のカメラは、請求項１〜１０の任意の１に記載の結像レンズを「撮影用光学系として有する」ことを特徴とする（請求項１１）。
【００２５】
この発明の携帯情報端末装置は、請求項１〜１０の任意の１に記載の結像レンズを「カメラ機能部の撮影用光学系として有する」ことを特徴とする（請求項１２）。
【００２６】
説明を補足する。  
この発明の結像レンズは「レトロフォーカスタイプ」である。  
レトロフォーカスタイプの結像レンズは、一般に「物体側に負の屈折力、像側に正の屈折力を配した」ものであり、屈折力の非対称性から歪曲収差や倍率色収差等が発生しやすく、これら収差の低減が大きな課題となる。
【００２７】
また、コマ収差やコマ収差の色差を補正することが、大口径化とともに困難となる。  
さらに、レトロフォーカスタイプの結像レンズは「主点を後側（像側）に移動させ、バックフォーカスを確保する」のに適したレンズであることから、最物体側のレンズ面から像面までのレンズ全長が大きくなり易い。
【００２８】
従って、大口径でコンパクト、且つ、良好な性能を実現するためには、屈折力の非対称性に起因する歪曲収差や倍率色収差等の発生を抑えつつ、コマ収差やコマ収差の色差を補正し、バックフォーカスの長大化を抑制することが必要となる。
【００２９】
発明者らは研究の結果、上に説明した如き構成をとることにより、大口径でコンパクト、且つ、良好な性能を実現できることを見出した。この発明の結像レンズは、発明者らにより見出されたかかる新規な知見に基づくものである。
【００３０】
即ち、この発明の結像レンズは、第１レンズ群の最も像側に配される第１ｃレンズ群の屈折力を「正」とするとともに、第２レンズ群の最も物体側に配される第２ａレンズ群の屈折力を「正」とした。
【００３１】
このように、共に正の屈折力を持つ第１ｃレンズ群と第２ａレンズ群とを「絞りを挟んで対置」し、その外側を、共に負の屈折力を有する第１ｂレンズ群と第２ｂレンズ群とで挟むようにし、全体としてはレトロフォーカスタイプでありながらも「屈折力配分の対称性」に配慮することによりコマ収差や倍率色収差の補正を容易としている。
【００３２】
また、第２ａレンズ群を「物体側を両凸レンズ、像側を両凹レンズとした接合レンズ」として構成することにより、第２レンズ群の中間にある負の屈折力を、上記両凹レンズと第２ｂレンズ群とに分担させることにより「単色収差と色収差の両方をバランス良く低減できる」ことを見出した。  
第２ａレンズ群を接合レンズとすることには「鏡枠への組み付けに際して発生する光軸ずれ等の製造誤差の影響を低減」する意味合いもある。
【００３３】
さらに、第１ｂレンズ群を構成する負レンズの形状も重要である。  
第１レンズ群は、その物体側に負の屈折力（第１ａレンズ群と第１ｂレンズ群）を有し、像側に正の屈折力（第１ｃレンズ群）が配されるように構成されるが、従来から知られたレトロフォーカスタイプでは、この間隔を比較的大きく取ることによって「画角の確保と球面収差を始めとする各種収差の補正を両立」させているものが多い。  
このような「絞りの物体側における上記負・正屈折力配分の間隔を大きくする構成」では結像レンズ径の十分な小型化を達成するのが困難である。  
この発明の結像レンズでは、第１ｂレンズ群を構成する負レンズが「物体側に曲率の大きな面を向けた形状」とされ、これによって「軸上収差（球面収差）と軸外収差（特に非点収差や下光線のコマ収差）をバランス良く補正する」ことが可能となっている。
【００３４】
第２ｂレンズ群は、上記の如く「単レンズまたは接合レンズ」であるが、その何れの場合においても、「最も物体側の面」は凹面、「最も像側の面」は凸面とされる。
【００３５】
即ち、第２ｂレンズ群が「単レンズ」の場合には、だい２ｂレンズ群は「物体側に凹面を向けた負メニスカスレンズ」として構成され、第２ｂレンズ群が「接合レンズ」の場合にも「全体としては物体側に凹面を向けた負メニスカスレンズ形状」となるように構成されている。
【００３６】
第２ｂレンズ群をこのような形状とすることにより、まず「第２ｂレンズ群の最も物体側の面」が、第２ａレンズ群の最も像側の面との間で「強い負の屈折力を有する空気レンズ」を形成し、全体として正・負・正の屈折力配置を有する第２レンズ群の「球面収差・像面湾曲の補正」に大きな役割を果たすようになる。  
また、第２ｂレンズ群の最も像側の面を「コンセントリックな形状」とすることで、コマ収差の発生を抑えると同時に、第２ｃレンズ群とともに「正の屈折力を分担」し、射出瞳位置を像面から遠ざけている。
【００３７】
このように、この発明の撮影レンズは、各部の構成が目的に対して最適化され、総合的に従来にはない新規な効果を生じて、広角・大口径・小型・高性能を併せて実現することが可能である。
【００３８】
このような基本構成において、上述の各条件を満足することにより、さらなる小型化・高性能化の達成が可能となる。
【００３９】
条件（１）は、条件（２）、（３）の前提となるレンズ全長：Ｌを、最大像高：Ｙ’（撮像阻止の受光面の対角線長さによって規制される。）との関係で規制する条件である。  条件（２）は、第２ｂレンズ群の屈折力に関するものであり、パラメータ：ｆ２ｂ／ｆ２が下限値：−３．０以下であると、第２ｂレンズ群の屈折力が不足し、球面収差が補正不足となったり、非点較差を抑制し切れなかったりして好ましくない。  
パラメータ：ｆ２ｂ／ｆ２が上限値：−０．４以上であると、第２ｂレンズ群の屈折力が強くなりすぎて、第２レンズ群を構成する各面の間の収差のやり取りが過大となり、全ての収差をバランス良く抑えることが難しくなったり、製造誤差に対する敏感度が高くなったりして好ましくない。  
条件（３）は、第２ｂレンズ群の形状に関するものであり、パラメータ：(ｒ２ｂＦ＋ｒ２ｂＲ)／(ｒ２ｂＦ−ｒ２ｂＲ)が下限値：−６．０以下になると、第２ｂレンズ群の「メニスカス形状が強くなりすぎ」て、球面収差が補正過剰になり易くなったり、内向性のコマ収差が発生し易くなったりする。  
パラメータ：(ｒ２ｂＦ＋ｒ２ｂＲ)／(ｒ２ｂＦ−ｒ２ｂＲ)が上限値：−２．０以上になると、第２ｂレンズ群が必要とするメニスカス形状を維持しにくくなり、球面収差が補正不足になり易くなったり、外向性のコマ収差が発生しやすくなったりする他、第２レンズ群全体として、像面側に正の屈折力が不足し、射出瞳距離を像面から十分に遠ざけられない場合が出てくる。
【００４０】
従って、条件（１）〜（３）を満足する請求項２記載の結像レンズでは、無理のない収差補正が行えると共に、より小型化が可能な高性能の結像レンズを実現できる。
【００４１】
条件（４）は、上記条件とともに、第２ｂレンズ群が満足することが好ましい条件であり、パラメータ：ｎｄ２ｂが下限値：１．８０以下であると、像面湾曲を十分に抑制することが難しくなる。パラメータ：ｎｄ２ｂを１．８０以下として、無理に像面湾曲を抑えようとすると、各面の曲率を大きく設定せざるを得ず、他の収差の発生が増えて「全体の収差バランス」を取りにくくなる。
【００４２】
パラメータ：ｎｄ２ｂが上限値：２．２０となると、このような光学材料は実質的に存在しないか、存在しても非常に高価でその使用は現実的と言えない。
【００４３】
条件（１）〜（３）と共に条件（４）を満足する請求項３の結像レンズでは、像面湾曲を十分に低減しながら、より小型で高性能の結像レンズを実現できる。
【００４４】
条件（５）は、第１ｂレンズ群を構成する「物体側に曲率の大きな面を向けた負レンズ（このレンズは、第１レンズ群中において、第１ａレンズ群の負レンズに続く、物体から２番目の負レンズであり、以下において「第２負レンズ」とも言う。）」の形状についての条件である。  
パラメータ：(ｒ１ｂＦ＋ｒ１ｂＲ)／(ｒ１ｂＦ−ｒ１ｂＲ)が下限値：−７．０以下であると、第２負レンズの屈折力が小さくなったり、第２負レンズの物体側面と像側面で収差が相殺され易くなったりして、他のレンズとの収差のやり取りが減少し、第２負レンズが「収差補正に果たすべき役割」が限定され、全体の収差レベルが小さくなりにくい。
【００４５】
パラメータ：(ｒ１ｂＦ＋ｒ１ｂＲ)／(ｒ１ｂＦ−ｒ１ｂＲ)が上限値：−０．７以上であると、軸上収差（球面収差）と軸外収差（特に非点収差や下光線のコマ収差）のバランスを取りにくく、画面中心と周辺の画質の両立が困難となり易い。
【００４６】
従って、条件（５）を満足する請求項４の結像レンズでは、全体の収差レベルをより小さく抑え、さらに高性能の結像レンズを実現できる。
【００４７】
条件（６）は結像レンズのバックフォーカスと最大像高との比率を規制する条件であり、パラメータ：Ｂｆ／Ｙ’が下限値：０．８以下であると、バックフォーカスが小さくなり、結像レンズを搭載するカメラや携帯情報端末装置のレンズ収納を「沈胴構造」を前提とする場合、効率の良い収納が困難となったり、第２レンズ群の「レンズ面の傷・ごみ」等が画像に影響しやすくなったりする。
【００４８】
パラメータ：Ｂｆ／Ｙ’が上限値：１．６以上であると、レンズ群を配置できる空間が狭くなり、十分な収差補正を行うことが困難となり易い。
【００４９】
従って、条件（６）を満足する請求項５の結像レンズでは、より小型に収納可能であり、各収差をより良好に補正した高性能の結像レンズを実現できる。
【００５０】
条件（７）は、レンズ全長：Ｌとレンズ長さ：Ｌ１との比を規制する条件であり、パラメータ：Ｌ１／Ｌが下限値：０．２０以下であると、第１レンズ群に配設される３群３枚もしくは３群４枚のレンズが「十分な自由度を持って収差補正に適した形状」とならない恐れがある。
【００５１】
パラメータ：Ｌ１／Ｌが上限値：０．３２以上であると「絞りが像面に近付き過ぎ」てしまい、射出瞳位置を像面から遠ざけることが困難になったり、それをリカバリするために第２レンズ群内の屈折力配置がバランスを欠いたりして好ましくない。
【００５２】
従って、条件（７）を満足する請求項６の結像レンズでは、各収差をより良好に補正し、射出瞳位置を十分に像面から遠ざけた小型で高性能の結像レンズを実現できる。
【００５３】
条件（８）は、結像レンズ全系と第１レンズ群との屈折力のバランスに関する条件である。この発明の結像レンズにおいて、第１レンズ群は「正の屈折力を有するか略アフォーカル」で、第２レンズ群に付加したワイドコンバータのような役割を果たしていると考えることもできる。しかし、実際の収差補正の上では「第１レンズ群が完全にアフォーカルである」ことが最良ではない。
【００５４】
即ち、請求項１における第１レンズに関する「正の屈折力を有するか略アフォーカル」は「アフォーカルに極めて近い状態を含む正の屈折力」を意味する。
【００５５】
パラメータ：ｆＡ／ｆ１が「０」である場合、第１レンズ群は焦点距離：ｆ１が無限大となって「アフォーカル」となる。
【００５６】
パラメータ：ｆＡ／ｆ１が条件（８）の下限値：０．０以下であると、第２レンズ群の屈折力を強くしなければならず、像面の曲がりが大きくなったり、負の歪曲収差が大きく発生しやすくなったりして好ましくない。  
パラメータ：ｆＡ／ｆ１が上限値：０．６以上であると、第２レンズ群の結像作用への寄与が少なくなり、第１レンズ群が結像作用を分担するようになるため「第１レンズ群と第２レンズ群の間で比較的大きな収差のやり取りが発生」し、必要以上に製造誤差感度が高まったりして好ましくない。
【００５７】
従って、条件（８）を満足する請求項７の結像レンズでは、像面の平坦性などを向上し、さらに高性能の結像レンズを実現できる。
【００５８】
条件（９）は、条件（８）が満たされる条件下において、第１レンズ群の屈折力配置が好ましくなる条件である。
【００５９】
パラメータ：ｆ１ａ−１ｂ／ｆ１ｃが下限値：−１．３以下になると、第１レンズ群が「比較的強い正の屈折力」を有するようになり、条件（８）の充足が難しくなる。  
パラメータ：ｆ１ａ−１ｂ／ｆ１ｃが上限値：−０．７を超えると、条件（８）の満足のために、第１レンズ群が大型化したり、無理に小型化すれば収差補正が困難になるなどして好ましくない。
【００６０】
従って、条件（８）、（９）を満足する請求項９の結像レンズでは、小型化と高性能化をより適切にバランスさせた結像レンズを実現できる。
【００６１】
なお、条件（８）のパラメータ：ｆＡ／ｆ１は、より好ましくは、条件（８）よりも上限値が小さい以下の条件：
（８Ａ）  0.0 ＜ fA/f1 ＜ 0.3  
を満足するのが良く、第１ａレンズ群の焦点距離：ｆ１ａ、第１ｂレンズ群の焦点距離：ｆ１ｂは、条件：
（９Ａ）  -1.0 ＜ f1a/f1b ＜ -0.7  
を満足するのが良い。
【００６２】
この発明の結像レンズは請求項８のように「近距離物体への合焦に際し、無限遠物体に合焦した状態よりも第１レンズ群と第２レンズ群との間隔」を短縮することが好ましい。
【００６３】
単純な「全体繰り出し」で近距離物体への合焦を行うと、プラスの像面湾曲（周辺でレンズから遠ざかる方向の像面湾曲）が発生しやすいが、繰り出しに伴って「第１レンズ群と第２レンズ群との間隔」を適宜短縮することにより、上記像面湾曲の発生を抑えることが可能となる。
【００６４】
条件（１０）は、請求項９記載のフォーカシングを行なう場合の「像面湾曲」の発生を有効に抑制する条件であり、パラメータ：(Ａ１−２Ｍ−Ａ１−２)／(ＢｆＭ−Ｂｆ)が下限値：−０．５以下になると「第１レンズ群と第２レンズ群との間隔の変化」が過大となり、無限遠に比較して近距離で「マイナスの像面湾曲」が発生しやすい。  
パラメータ：(Ａ１−２Ｍ−Ａ１−２)／(ＢｆＭ−Ｂｆ)が上限値：−０．２以上になると「第１レンズ群と第２レンズ群との間隔の変化」が十分で無く、無限遠に比較して近距離で「プラスの像面湾曲」が発生しやすい。
【００６５】
従って、条件（１０）を満足する請求項８、９の結像レンズでは、有限距離物体へのフォーカシングに伴う結像性能の変化を抑制した高性能で小型の結像レンズを実現できる。
【００６６】
第１レンズ群はまた、前述のレンズ長さ：Ｌ１と、第１ｂレンズ群と第１ｃレンズ群との間隔：Ａ１ｂ−１ｃが、条件：
（１１）  0.0 ＜ A1b-1c/L1 ＜ 0.1  
を満足するのがよい。
【００６７】
この発明の結像レンズのレンズ構成においては、条件（１１）のパラメータ：Ａ１ｂ−１ｃ／Ｌ１の数値は小さい方が良く、上限値：０．１以上であると収差バランスが取りにくくなる。パラメータ：Ａ１ｂ−１ｃ／Ｌ１が「０よりも小さくならない」ことは当然であるが「０とする」ことも実質的に不可能である。
【００６８】
第１ａレンズ群および第１ｂレンズを構成する負レンズの、少なくとも一方の材質は、以下の条件を満足することが好ましい。  
（１２）  1.45 ＜ nd ＜ 1.65    
（１３）  55.0 ＜ νd ＜ 95.0    
（１４）  0.015 ＜ Pg,F-(-0.001802×νd+0.6483) ＜ 0.050  
これら条件式のパラメータにおいて、ｎｄは、第１レンズ群の第１負レンズ（最も物体側の負レンズ）または第２負レンズの屈折率、νdは第１負レンズまたは第２負レンズのアッベ数、Ｐｇ，Ｆは「第１負レンズまたは第２負レンズの部分分散比」を表す。
【００６９】
部分分散比：Ｐｇ，Ｆは、レンズを構成する光学ガラスの「g線，F線，C線に対する屈折率：ｎｇ、ｎＦ、ｎＣ」により次式で定義される。
【００７０】
Pg,F=(ng-nF)/(nF-nC)      
第１ａレンズ群および第１ｂレンズを構成する負レンズの「少なくとも一方」を、条件（１２）〜（１４）を満足する、所謂「異常分散ガラス」で構成することにより、色収差の２次スペクトルを効果的に低減して、より良好な補正状態を実現できる。  
第１ｃレンズ群を接合レンズとする場合は、物体側から順に正レンズ・負レンズで構成することによって，軸上色収差をより良好に補正することが可能となる。
【００７１】
第２ｂレンズ群を接合レンズとする場合は、物体側から順に負レンズ・正レンズで構成することによって、倍率色収差をより良好に補正することが可能となる。
【００７２】
歪曲収差等をより良好に補正するには、第２ｂレンズ群または第２ｃレンズ群に非球面を設けることが好ましい。  
また、小型化に伴って増大しがちな各種収差を抑制するためには、第１ａレンズ群または第１ｂレンズ群にも非球面を設けることが望ましい。第１レンズ群と第２レンズ群の非球面は、互いに収差補正の役割を補完し合ってより効果的に作用するように、同時に設けるのが良い。
【００７３】
上記の各条件は、独立して、あるいは他の条件と組み合わせられて、上記の作用を果たすが、後述する実施例のように、上記条件の全てを満足するとき、極めて良好な性能を実現できる。
【００７４】
このような結像レンズを用いる請求項１１のカメラや請求項１２の携帯情報端末装置は、小型・高画質で携帯性に優れたカメラ・携帯情報端末装置として実現できる。
【発明の効果】
【００７５】
以上に説明したように、この発明によれば新規な結像レンズ、カメラ、携帯情報端末を適用できる。  
請求項１の結像レンズは上記の如き光学構成を有することにより、従来のレトロフォーカスタイプの結像レンズでは困難とされてきた「屈折力の非対称性に起因する歪曲収差や倍率色収差等の発生の抑制、コマ収差やコマ収差の色差の補正、バックフォーカスの長大化の抑制」を可能とし、大口径でコンパクト、且つ、良好な性能を実現することが可能である。  
実際、後述の実施例に示すように、半画角が３８度程度と広角で、Ｆナンバが２．８未満と大口径でありながら十分に小型で、非点収差や像面湾曲、倍率色収差、コマ収差の色差、歪曲収差等が十分に低減され、１０００万〜２０００万画素の撮像素子に対応した解像力を有すると共に、絞り開放から高コントラストで画角の周辺部まで点像の崩れがなく、輝度差の大きな部分にも不要な色付きを生じず、直線を直線として歪みなく描写可能な高性能の結像レンズを実現できる。
【００７６】
従って、かかる結像レンズを搭載することにより、小型かつ高画質のカメラや携帯情報端末装置を実現できる。
【図面の簡単な説明】
【００７７】
【図１】実施例１の結像レンズの構成を示す断面図である。
【図２】実施例２の結像レンズの構成を示す断面図である。
【図３】実施例３の結像レンズの構成を示す断面図である。
【図４】実施例４の結像レンズの構成を示す断面図である。
【図５】実施例５の結像レンズの構成を示す断面図である。
【図６】実施例６の結像レンズの構成を示す断面図である。
【図７】実施例１の結像レンズが無限遠物体に合焦した状態における収差曲線図である。
【図８】実施例１の結像レンズが-1/20倍で近距離物体に合焦した状態における収差曲線図である。
【図９】実施例２の結像レンズが無限遠物体に合焦した状態における収差曲線図である。
【図１０】実施例２の結像レンズが−１／２０倍で近距離物体に合焦した状態における収差曲線図である。
【図１１】実施例３の結像レンズが無限遠物体に合焦した状態における収差曲線図である。
【図１２】実施例３の結像レンズが−１／２０倍で近距離物体に合焦した状態における収差曲線図である。
【図１３】実施例４の結像レンズが無限遠物体に合焦した状態における収差曲線図である。
【図１４】実施例４の結像レンズが−１／２０倍で近距離物体に合焦した状態における収差曲線図である。
【図１５】実施例５の結像レンズが無限遠物体に合焦した状態における収差曲線図である。
【図１６】実施例５の結像レンズが−１／２０倍で近距離物体に合焦した状態における収差曲線図である。
【図１７】実施例６の結像レンズが無限遠物体に合焦した状態における収差曲線図である。
【図１８】実施例６の結像レンズが−１／２０倍で近距離物体に合焦した状態における収差曲線図である。
【図１９】携帯情報端末装置の実施の１例を説明するための図である。
【図２０】図１９に示す携帯情報端末装置のシステム図である。
【発明を実施するための形態】
【００７８】
以下、実施の形態を説明する。  
図１〜図６に、結像レンズの実施の形態を６例示す。  
これらの実施の形態は、図１〜図６の順で、後述する具体的な数値実施例１〜６に相当するものである。繁雑を避けるため、これら図１〜図６において符号を共通化する。
【００７９】
図１〜図６に実施の形態を示す結像レンズは何れも、物体側（図の左方）から像側（図の右方）へ向かって順に、第１レンズ群Ｉ、開口絞りＳ、第２レンズ群ＩＩを配設してなり、第１レンズ群は正の屈折力を有し、第２レンズ群は正の屈折力を有する。
【００８０】
第１レンズ群Ｉは、物体側から像側へ向かって順に、像側に曲率の大きな面を向けた負レンズからなる第１ａレンズ群１ａ、物体側に曲率の大きな面を向けた負レンズからなる第１ｂレンズ群１ｂ、単レンズまたは接合レンズからなり正の屈折力を有する第１ｃレンズ群１ｃを配設して構成されている。  
第２レンズ群ＩＩは、物体側から像側へ向かって順に、両凸レンズと両凹レンズを接合してなり正の屈折力を有する第２ａレンズ群２ａ、単レンズまたは接合レンズからなり負の屈折力を有する第２ｂレンズ群２ｂ、正レンズからなる第２ｃレンズ群２ｃを配設して構成されている。  
第２ｂレンズ群２ｂの、最も物体側の面は凹面、最も像側の面は凸面である。
【００８１】
図１、図２に示す実施の形態では、第１ｃレンズ群１ｃは「単レンズ」、第２ｂレンズ群２ｂも「単レンズ」である。
【００８２】
図３、図４に示す実施の形態では、第１ｃレンズ群１ｃは「接合レンズ」、第２ｂレンズ群２ｂは「単レンズ」である。
【００８３】
図５、図６に示す実施の形態では、第１ｃレンズ群１ｃは「接合レンズ」、第２ｂレンズ群２ｂも「接合レンズ」である。
【００８４】
これらの実施の形態を具体化した後述の実施例１〜６の結像レンズは何れも、近距離物体への合焦に際し、第１レンズ群と第２レンズ群との間隔が「無限遠物体に合焦した状態よりも短縮」されるものであり、各実施例レンズは条件（１）〜（１０）のみならず、上述の条件（１１）〜（１４）も満足する。
【００８５】
図１９、図２０を参照して、携帯情報端末装置の実施の１形態を説明する。
【００８６】
携帯情報端末装置は、図２０に示すように結像レンズ３１と受光素子（エリアセンサ）４５を有し、結像レンズ３１によって形成される撮影対象物の像を受光素子４５によって読み取るように構成されている。  
撮影レンズ３１としては、請求項１〜１０の何れかに記載のものを用いることができるが、具体的には実施例１〜６のものを用いることができる。
【００８７】
受光素子４５からの出力は、中央演算装置４０の制御を受ける信号処理装置４１によって処理されデジタル情報に変換される。デジタル情報化された画像情報は、中央演算装置４０の制御を受ける画像処理装置４１において所定の画像処理を受けた後、半導体メモリ４４に記録される。
【００８８】
液晶モニタ３８には、撮影中の画像を表示することもできるし、半導体メモリ４４に記録されている画像を表示することもできる。  
また、半導体メモリ４４に記録した画像は通信カード等４３を使用して外部へ送信することも可能である。
【００８９】
結像レンズ３１は、装置携帯時には図１９（ａ）に示すように沈胴状態にあり、ユーザが電源スイッチ３６を操作して電源を入れると、図１９（ｂ）に示すように鏡胴が繰り出される。
【００９０】
シャッタボタン３５の半押しによりフォーカシングがなされる。  
フォーカシングは「レンズ系全体の移動」によって行うことも、第２レンズ群の移動や、受光素子４５の移動によっても行うことができる。  
フォーカシングをレンズ系全体の移動によって行う場合は、請求項９〜１０記載の結像レンズのように、近距離物体への合焦に際し、無限遠物体に合焦した状態よりも第1レンズ群と第2レンズ群との間隔を短縮することによって像面湾曲の変化をキャンセルし、有限距離での結像性能低下を最小限とすることもできる。  
シャッタボタンをさらに押し込むと撮影がなされ、その後は上述の処理がなされる。  
半導体メモリ４４に記録した画像を液晶モニタ３８に表示したり、通信カード等４３を使用して外部へ送信する際には操作ボタン３７を使用して行う。半導体メモリ４４および通信カード等４３は、それぞれ専用または汎用のスロット３９Ａ、３９Ｂに挿入して使用される。
【００９１】
結像レンズ３１が沈胴状態にあるとき、各レンズ群は必ずしも光軸上に並んでいなくても良く、例えば、第２レンズ群が光軸上から退避して第１レンズ群と並列に収納されるような機構とすれば装置のさらなる薄型化が実現できる。
【００９２】
以上に説明したような携帯情報端末装置には、実施例１〜６の結像レンズを使用することができ、１０００万〜２０００万画素クラスの受光素子を使用した高画質で携帯情報端末装置を実現できる。  
上に説明した携帯情報端末装置から、通信機能を除いたものは請求項１１のカメラの実施形態となる。即ち、請求項１１のカメラは、請求項１２の形態情報端末装置の撮影機能部として用いることができる。
【実施例】
【００９３】
以下に、結像レンズの具体的な実施例を６例挙げる。  
全ての実施例において最大像高：Ｙ’は１４．２ｍｍである。
【００９４】
各実施例のレンズ構成を示す図１〜図６において、第２レンズ群ＩＩの像面側に配設される平行平板Ｆは「光学ローパスフィルタ・赤外カットフィルタ等の各種フィルタや、ＣＭＯＳセンサ等の受光素子のカバーガラス（シールガラス）」を想定し、これらに等価な１枚の透明な平行平板として示したものである。  
なお、平行平板Ｆは、その像側面が「結像面から物体側に約０．５ｍｍの位置となる」ように配置されているが、勿論これに限らず、複数枚に分割されていても良い。以下の各実施例において、長さの次元を持つ量の単位は「ｍｍ」である。
【００９５】
実施例における記号の意味は以下の通りである。
【００９６】
f：全系の焦点距離  
F：Fナンバ  
ω：半画角  
R：曲率半径  
D：面間隔  
Nd：屈折率  
νd：アッベ数  
K：非球面の円錐定数  
A4：4次の非球面係数  
A6：6次の非球面係数  
A8：8次の非球面係数  
A10：10次の非球面係数  
A12：12次の非球面係数  
A14：14次の非球面係数  
A16：16次の非球面係数  
A18：18次の非球面係数                                  。
【００９７】
「非球面」は、近軸曲率半径の逆数（近軸曲率）をC、光軸からの高さをHとするとき、円錐乗数：K、上記非球面係数を用いて、周知の次式で表される。
Ｘ＝CH2/［1+√(1-(1+K)C2H2)］
+A4・H4+A6・H6+A8・H8+A10・H10+A12・H12+A14・H14+A16・H16+A18・H18  。
【００９８】
「実施例１」
f = 18.28，F = 2.51，ω = 38.3  
面番号        R          D      Nd      νd    Pg,F        硝種名  
01        20.770    1.20    1.49700  81.54  0.5375    OHARA S-FPL51  
02         8.251    5.94    
03*      -20.537    1.20    1.48749  70.24  0.5300    OHARA S-FSL5  
04       -96.870    0.13  
05        13.535    3.62    1.77250  49.60  0.5520    OHARA S-LAH66  
06       -62.660    可変(A)  
07        絞り      1.00   
08        21.118    3.29    1.78800  47.37  0.5559    OHARA S-LAH64  
09        -9.881    1.00    1.69895  30.13  0.6030    OHARA S-TIM35  
10        18.982    3.85   
11        -6.605    1.22    1.84666  23.77  0.6198    OHARA L-TIH53  
12*      -14.621    0.10   
13      -263.010    5.44    1.85400  40.39  0.5677    OHARA L-LAH85  
14*      -11.149    可変(B)    
15        ∞        3.20    1.51680  64.20             各種フィルタ  
16        ∞                                                       。
【００９９】
「非球面」
非球面は、上の「面番号」に「＊印」を付した面である。以下の実施例においても同様である。  
第3面  
K = 0.0，A4 = 9.88622×10-6，A6 = -1.42073×10-7，A8 = -3.19806×10-9，  
A10 = 1.97408×10-11   
第12面  
K = -0.16558，A4 = 1.59985×10-4，A6 = 1.84355×10-6，A8 = -2.65881×10-8，  
A10 = 1.97333×10-10    
第14面    
K = -0.21279，A4 = 1.80877×10-5，A6 = 1.25436×10-7，A8 = 5.41982×10-10，  
A10 = 1.54602×10-11                                          
上の表記において、例えば「1.54602×10-11」は「1.54602×10-11」を省略表記したものである。以下の実施例のデータにおいても同様である。
【０１００】
「可変間隔」  
可変間隔は、無限遠物体に合焦しているときと「−１／２０倍」の結像倍率で近距離物体に合焦した状態での可変間隔：Ａ、Ｂを示す。以下の実施例においても同様である。  
無限遠        -1/20倍
A     2.000       1.780  
B    12.838      13.811                    。
【０１０１】
「条件式のパラメータの数値」
（１）  L/Y’= 3.28    
（２）  f2b/f2=-0.526    
（３）  (r2bF+r2bR)/(r2bF-r2bR)=-2.65    
（４）  nd2b=1.847    
（５）  (r1bF+r1bR)/(r1bF-r1bR)=-1.538    
（６）  Bf/Y’=1.165    
（７）  L1/L=0.260    
（８）  fA/f1=0.532      
（９）  f1a-1b/f1c=-1.189          
（10）  (A1-2M-A1-2)/(BfM-Bf)=-0.226        
（11）  A1b-1c/L1=0.0108    
（12）  nd=1.497    
（13）  νd=81.5    
（14）  Pg,F-(-0.001802×νd+ 0.6483)=0.0361                      。
【０１０２】
「実施例２」
f = 18.29，F = 2.52，ω = 38.2    
面番号      R          D      Nd      νd    Pg,F        硝種名
01*      14.450    1.60    1.55332  71.68  0.5402    HOYA M-FCD500  
02*       7.261   10.79      
03      -30.101    1.20    1.59551  39.24  0.5803    OHARA S-TIM8   
04      460.622    0.10     
05       23.157    2.62    1.77250  49.60  0.5520    OHARA S-LAH66   
06      -34.926    2.00   
07       絞り      可変(A)     
08       23.704    3.80    1.88300  40.76  0.5667    OHARA S-LAH58  
09      -14.944    1.00    1.69895  30.13  0.6030    OHARA S-TIM35  
10       21.363    3.08   
11      -11.593    1.22    1.92286  18.90  0.6495    OHARA S-NPH2  
12      -19.415    0.10       
13     -345.929    3.41    1.82080  42.71  0.5642    HOYA M-TAFD51   
14*     -19.332    可変(B)   
15        ∞       3.20    1.51680  64.20           各種フィルタ  
16        ∞                                                      。
【０１０３】
「非球面」  
第1面  
K = 0.0，A4 = -1.15383×10-4，A6 = 2.38416×10-7，A8 = -1.86497×10-9   
第2面  
K = -0.71833，A4 = -1.17671×10-5，A6 = 9.43499×10-7，A8 = -4.64708×10-9，
A10 = 7.05861×10-11  
第14面    
K = -0.28312，A4 = 6.41382×10-5，A6 = 2.15787×10-7，A8 = -6.04112×10-10，
A10 = 5.13609×10-12                                            。
【０１０４】
「可変間隔」
無限遠      -1/20倍    
A      5.720        5.370  
B     15.804       16.740                                      。
【０１０５】
「条件式のパラメータの値」
（１）  L/Y’=3.95    
（２）  f2b/f2=-1.503  
（３）  (r2bF+r2bR)/(r2bF-r2bR)=-3.96    
（４）  nd2b=1.923    
（５）  (r1bF+r1bR)/(r1bF-r1bR)=-0.877  
（６）  Bf/Y’=1.374            
（７）  L1/L=0.291      
（８）  fA/f1=0.265  
（９）  f1a-1b/f1c=-0.861          
（10）  (A1-2M-A1-2)/(BfM-Bf)=-0.374    
（11）  A1b-1c/L1=0.0061          
（12）  nd=1.553            
（13）  νd=71.7  
（14）  Pg,F-(-0.001802×νd+0.6483)=0.0211                    。
【０１０６】
「実施例３」  
f = 18.30，F = 2.52，ω = 38.2    
面番号        R        D        Nd     νd    Pg,F        硝種名    
01*      28.690    1.60    1.61881  63.85  0.5416     HOYA M-PCD4  
02*      10.000    7.02    
03      -19.394    1.20    1.49700  81.54  0.5375     OHARA S-FPL51 
04      -31.344    0.10          
05       29.273    3.96    1.88300  40.76  0.5667     OHARA S-LAH58  
06      -25.850    1.00    1.84666  23.78  0.6205     OHARA S-TIH53  
07      -64.072    4.78      
08       絞り      可変(A)      
09       19.818    4.45    1.88300  40.76  0.5667     OHARA S-LAH58  
10      -11.751    1.00    1.68893  31.07  0.6004     OHARA S-TIM28  
11       19.256    3.36      
12      -11.072    1.20    1.84666  23.78  0.6205     OHARA S-TIH53  
13      -27.188    0.10          
14       79.600    3.90    1.82080  42.71  0.5642     HOYA M-TAFD51  
15*     -17.988    可変(B)      
16        ∞       3.20    1.51680  64.20             各種フィルタ  
17        ∞                                          。
【０１０７】
「非球面」  
第1面  
K = 0.0，A4 = -3.96377×10-5，A6 = 9.21553×10-8 
第2面  
K = -0.59156，A4 = -8.37359×10-6，A6 = 3.49291×10-7，A8 = -5.31443×10-9，
A10 = 5.50904×10-11    
第15面  
K = -0.56176，A4 = 7.57070×10-5，A6 = 3.27942×10-7，A8 = -1.51207×10-9，
A10 = 9.93156×10-12                                            。
【０１０８】
「可変間隔」      
無限遠      -1/20倍  
A      5.440        5.000  
B      13.497      14.422                            。
【０１０９】
「条件式のパラメータの値」  
（１）  L/Y’=3.97  
（２）  f2b/f2=-0.871    
（３）  (r2bF+r2bR)/(r2bF-r2bR)=-2.37    
（４）  nd2b=1.847    
（５）  (r1bF+r1bR)/(r1bF-r1bR)=-4.268      
（６）  Bf/Y’=1.211    
（７）  L1/L=0.264      
（８）  fA/f1=0.163      
（９）  f1a-1b/f1c=-0.867      
（10）  (A1-2M-A1-2)/(BfM-Bf)=-0.476    
（11）  A1b-1c/L1=0.0067  
（12）  nd=1.497        
（13）  νd=81.5  
（14）  Pg,F-(-0.001802×νd+0.6483)=0.0361                      。
【０１１０】
「実施例４」
f = 18.29，F = 2.55，ω = 38.3    
面番号        R        D        Nd     νd    Pg,F        硝種名    
01*        22.274    1.20     1.61881  63.85  0.5416    HOYA M-PCD4  
02*         9.524    5.26   
03        -15.506    0.80     1.49700  81.54  0.5375    OHARA S-FPL51  
04        -47.476    0.10    
05         30.115    3.84     1.88300  40.76  0.5667    OHARA S-LAH58  
06        -13.728    0.70     1.84666  23.78  0.6205    OHARA S-TIH53  
07        -32.069    2.10     
08          絞り    可変(A)            
09         20.592    4.59     1.88300  40.76  0.5667     OHARA S-LAH58  
10        -12.134    0.80     1.64769  33.79  0.5938     OHARA S-TIM22  
11         18.982    4.25      
12        -10.030    1.09     1.92286  18.90  0.6495     OHARA S-NPH2  
13        -19.345    0.10   
14       2966.881    3.18     1.85400  40.39  0.5677     OHARA L-LAH85  
15*       -16.546    可変(B)     
16         ∞        3.20     1.51680  64.20              各種フィルタ  
17         ∞                               。
【０１１１】
「非球面」  
第1面
K = 0.0，A4 = 5.51335×10-6，A6 = -2.26669×10-7   
第2面  
K = 0.25063，A4 = -4.96155×10-5，A6 = 9.77362×10-7，A8 = -3.89927×10-8，
A10 = -3.82203×10-10，A12 = 1.87953×10-11，A14 = -2.16473×10-13  
第15面  
K = 0.0，A4 = 1.07649×10-4，A6 = -1.45102×10-6，A8 = 6.57063×10-8，
A10 = -1.20942×10-9，A12 = 9.40772×10-12，A14 = 2.04652×10-14，
A16 = -7.56483×10-16，A18 = 3.26908×10-18                              。
【０１１２】
「可変間隔」    
無限遠      -1/20倍    
A      5.410        5.100  
B     11.466       12.393                                               。
【０１１３】
「条件式のパラメータの値」
（１）  L/Y’=3.42  
（２）  f2b/f2=-0.919    
（３）  (r2bF+r2bR)/(r2bF-r2bR)=-3.15    
（４）  nd2b=1.923    
（５）  (r1bF+r1bR)/(r1bF-r1bR)=-1.970    
（６）  Bf/Y’=1.068  
（７）  L1/L=0.245        
（８）  fA/f1=0.217      
（９）  f1a-1b/f1c=-0.928        
（10）  (A1-2M-A1-2)/(BfM-Bf)=-0.334  
（11）  A1b-1c/L1=0.0084            
（12）  nd=1.497    
（13）  νd=81.5      
（14）  Pg,F-(-0.001802×νd+0.6483)=0.0361                        。
【０１１４】
「実施例５」  
f = 18.30，F = 2.56，ω = 38.2    
面番号        R        D         Nd     νd    Pg,F        硝種名  
01       20.090     1.20    1.61881  63.85  0.5416    HOYA M-PCD4 
02*       9.524     4.83   
03      -18.555     0.80    1.49700  81.54  0.5375    OHARA S-FPL51
04     -331.232     0.10   
05       24.844     3.14    1.88300  40.76  0.5667    OHARA S-LAH58  
06      -16.981     0.80    1.84666  23.78  0.6205    OHARA S-TIH53  
07      -57.153     2.10      
08       絞り       可変(A)    
09       19.843     4.51    1.88300  40.76  0.5667    OHARA S-LAH58  
10      -13.620     0.80    1.62004  36.26  0.5879    OHARA S-TIM2  
11       29.999     3.43      
12      -12.853     0.80    1.84666  23.78  0.6205    OHARA S-TIH53  
13       62.695     3.26    1.88300  40.76  0.5667    OHARA S-LAH58  
14      -21.946     0.10    
15     -166.052     2.13    1.85400  40.39  0.5677    OHARA L-LAH85  
16*     -26.786     可変(B)       
17       ∞         3.20    1.51680  64.20            各種フィルタ  
18       ∞                                。
【０１１５】
「非球面」    
第2面
K = -0.19254，A4 = 2.29237×10-5，A6 = 1.87839×10-7，A8 = 1.69982×10-8，
A10 = -4.09939×10-10，A12 = 5.19254×10-12   
第16面  
K = 0.0，A4 = 8.53049×10-5，A6 = -1.65776×10-7，A8 = 1.06167×10-8，
A10 = -1.01522×10-10，A12 = 4.07983×10-13                            。
【０１１６】
「可変間隔」  
無限遠      -1/20倍  
A      4.580        4.250  
B      12.438      13.353                                      。
【０１１７】
「条件式のパラメータの値」
（１）  L/Y’=3.43  
（２）  f2b/f2=-2.305    
（３）  (r2bF+r2bR)/(r2bF-r2bR)=-3.83      
（４）  nd2b=1.865      
（５）  (r1bF+r1bR)/(r1bF-r1bR)=-1.119      
（６）  Bf/Y’=1.136          
（７）  L1/L=0.223          
（８）  fA/f1=0.0183        
（９）  f1a-1b/f1c=-0.836          
（10）  (A1-2M-A1-2)/(BfM-Bf)=-0.361  
（11）  A1b-1c/L1=0.0092    
（12）  nd=1.497    
（13）  νd=81.5      
（14）  Pg,F-(-0.001802×νd+0.6483)=0.0361                            。
【０１１８】
「実施例６」  
f = 17.00，F = 2.55，ω = 40.3  
面番号        R        D        Nd      νd    Pg,F        硝種名  
01*      18.933     1.20    1.67790  54.89  0.5458    OHARA L-LAL12  
02*       9.524     5.75   
03      -15.521     0.80    1.49700  81.54  0.5375    OHARA S-FPL51  
04     -323.082     0.10                
05       27.191     3.42    1.88300  40.76  0.5667    OHARA S-LAH58  
06      -12.977     0.80    1.84666  23.78  0.6205    OHARA S-TIH53  
07      -35.061     2.10   
08       絞り       可変(A)      
09       18.941     4.32    1.88300  40.76  0.5667    OHARA S-LAH58  
10      -14.601     0.80    1.58144  40.75  0.5774    OHARA S-TIL25  
11       26.050     3.46   
12      -12.645     0.80    1.92286  18.90  0.6495    OHARA S-NPH2  
13      -95.230     2.39    1.88300  40.76  0.5667    OHARA S-LAH58  
14      -20.038     0.10   
15     -217.934     1.97    1.86400  40.58  0.5669    OHARA L-LAH83  
16*     -28.435     可変(B)         
17        ∞        3.20    1.51680  64.20            各種フィルタ  
18        ∞                                                      。
【０１１９】
「非球面」  
第1面
K = 0.0，A4 = 1.10688×10-4，A6 = -1.10007×10-6，A8 = 5.03927×10-9 
第2面  
K = 0.14781，A4 = 1.27085×10-4，A6 = -1.46445×10-6，A8 = 5.59801×10-8，
A10 = -1.64269×10-9，A12 = 1.81646×10-11  
第16面  
K = 0.0，A4 = 1.02477×10-4，A6 = -1.39868×10-7，A8 = 1.33655×10-8，  
A10 = -1.43040×10-10，A12 = 5.99267×10-13                  。
【０１２０】
「可変間隔」  
無限遠      -1/20倍  
A        4.850        4.540    
B       11.037       11.888                                      。
【０１２１】
「条件式のパラメータの値」  
（１）  L/Y’=3.35    
（２）  f2b/f2=-1.914  
（３）  (r2bF+r2bR)/(r2bF-r2bR)=-4.42      
（４）  nd2b=1.903    
（５）  (r1bF+r1bR)/(r1bF-r1bR)=-1.101      
（６）  Bf/Y’=1.038            
（７）  L1/L=0.254        
（８）  fA/f1=0.0796          
（９）  f1a-1b/f1c=-0.832            
（10）  (A1-2M-A1-2)/(BfM-Bf)=-0.364          
（11）  A1b-1c/L1=0.0083          
（12）  nd=1.497        
（13）  νd=81.5    
（14）  Pg,F-(-0.001802×νd+0.6483)=0.0361                    。
【０１２２】
図７に、実施例１の結像レンズが無限遠物体に合焦した状態における収差曲線図、図８に、実施例１の結像レンズが-1/20倍で近距離物体に合焦した状態における収差曲線図を示す。
【０１２３】
図９に、実施例２の結像レンズが無限遠物体に合焦した状態における収差曲線図、図１０に、実施例２の結像レンズが-1/20倍で近距離物体に合焦した状態における収差曲線図を示す。
【０１２４】
図１１に、実施例３の結像レンズが無限遠物体に合焦した状態における収差曲線図、図１２に、実施例３の結像レンズが-1/20倍で近距離物体に合焦した状態における収差曲線図を示す。
【０１２５】
図１３に、実施例４の結像レンズが無限遠物体に合焦した状態における収差曲線図、図１４に、実施例４の結像レンズが-1/20倍で近距離物体に合焦した状態における収差曲線図を示す。
【０１２６】
図１５に、実施例５の結像レンズが無限遠物体に合焦した状態における収差曲線図、図１６に、実施例５の結像レンズが-1/20倍で近距離物体に合焦した状態における収差曲線図を示す。
【０１２７】
図１７に、実施例６の結像レンズが無限遠物体に合焦した状態における収差曲線図、図１８に、実施例６の結像レンズが-1/20倍で近距離物体に合焦した状態における収差曲線図を示す。
【０１２８】
これら収差曲線図において、球面収差の図中の破線は「正弦条件」を表し、非点収差の図中の実線は「サジタル」、破線は「メリディオナル」を表す。
【０１２９】
各実施例とも、収差は高いレベルで補正され、球面収差、軸上色収差は問題にならないほど小さい。  
非点収差、像面湾曲、倍率色収差も十分に小さく、コマ収差やその色差の乱れも最周辺部まで良く抑えられている他、歪曲収差も絶対値で２．０％以下となっている。
【０１３０】
このように、この発明の結像レンズは、半画角が３８度程度と広角で、Ｆナンバが２．８未満と大口径でありながら、非常に良好な像性能を確保できる。
【符号の説明】
【０１３１】
Ｉ      第１レンズ群  
ＩＩ    第２レンズ群  
Ｓ      絞り  
【先行技術文献】
【特許文献】
【０１３２】
【特許文献１】特開平  ０９−０９６７５９号公報
【特許文献２】特開２０１０−０３９０８８号公報
【図１】
2014123146.tif 000003
【図２】
2014123146.tif 000004
【図３】
2014123146.tif 000005
【図４】
2014123146.tif 000006
【図５】
2014123146.tif 000007
【図６】
2014123146.tif 000008
【図７】
2014123146.tif 000009
【図８】
2014123146.tif 000010
【図９】
2014123146.tif 000011
【図１０】
2014123146.tif 000012
【図１１】
2014123146.tif 000013
【図１２】
2014123146.tif 000014
【図１３】
2014123146.tif 000015
【図１４】
2014123146.tif 000016
【図１５】
2014123146.tif 000017
【図１６】
2014123146.tif 000018
【図１７】
2014123146.tif 000019
【図１８】
2014123146.tif 000020
【図１９】
2014123146.tif 000021
【図２０】
2014123146.tif 000022
【手続補正書】
【提出日】平成26年3月6日(2014.3.6)
【手続補正１】
【補正対象書類名】明細書
【補正対象項目名】００１１
【補正方法】変更
【補正の内容】
【００１１】
この発明の結像レンズは「物体側から像側へ向かって順に、第１レンズ群、開口絞り、第２レンズ群を配設してなり、第１レンズ群は正の屈折力を有し、第２レンズ群は正の屈折力を有する結像レンズ」であって、以下の点を特徴とする（請求項１）。  
「第１レンズ群」は、物体側から像側へ向かって順に、第１ａレンズ群、第１ｂレンズ群、第１ｃレンズ群を配設して構成される。  
第１ａレンズ群は「像側に曲率の大きな面を向けた負レンズ」からなる。    
第１ｂレンズ群は「物体側に曲率の大きな面を向けた負レンズ」からなる。  
第１ｃレンズ群は、正の屈折力を有する。
【手続補正２】
【補正対象書類名】明細書
【補正対象項目名】００１４
【補正方法】変更
【補正の内容】
【００１４】
第２ａレンズ群は「両凸レンズと両凹レンズを接合」してなり、正の屈折力を有する。  第２ｂレンズ群は、負の屈折力を有する。  
第２ｃレンズ群は「正レンズ」からなる。  
従って、第２レンズ群は、物体側から像側に向かって「正・負・正」の屈折力配分を有する。
【手続補正３】
【補正対象書類名】明細書
【補正対象項目名】００１５
【補正方法】変更
【補正の内容】
【００１５】
そして、第２ｂレンズ群の「最も物体側の面」は凹面とされ、「最も像側の面」は凸面とされる。
請求項１記載の結像レンズにおける上記第１ｃレンズ群、第２ｂレンズ群は、共に２枚以下のレンズから構成されることができる（請求項２）。
【手続補正４】
【補正対象書類名】明細書
【補正対象項目名】００１６
【補正方法】変更
【補正の内容】
【００１６】
請求項１または２記載の結像レンズは、無限遠物体に合焦した状態における第１レンズ群の最も物体側の面から像面までの距離：Ｌ、最大像高：Ｙ’、第２ｂレンズ群の焦点距離：ｆ２ｂ、第２レンズ群の焦点距離：ｆ２、第２ｂレンズ群の最も物体側の面の曲率半径：ｒ２ｂＦ、第２ｂレンズ群の最も像側の面の曲率半径：ｒ２ｂＲが、条件：
（１）  2.8 ＜ L/Y’  ＜ 4.3  
（２）  -3.0 ＜ f2b/f2 ＜ -0.4  
（３）  -6.0 ＜ (r2bF+r2bR)/(r2bF-r2bR) ＜ -2.0    
を満足することが好ましい（請求項３）。
【手続補正５】
【補正対象書類名】明細書
【補正対象項目名】００１７
【補正方法】変更
【補正の内容】
【００１７】
この請求項３記載の結像レンズは、第２ｂレンズ群を構成するレンズの屈折率の平均値：ｎｄ２ｂが、条件：
（４）  1.80 ＜ nd2b ＜ 2.20    
を満足することが好ましい（請求項４）。
【手続補正６】
【補正対象書類名】明細書
【補正対象項目名】００１８
【補正方法】変更
【補正の内容】
【００１８】
請求項１〜４の何れか１項に記載の結像レンズは、第１ｂレンズ群を構成する負レンズの、物体側面の曲率半径：ｒ１ｂＦ、および、像側面の曲率半径：ｒ１ｂＲが、条件：
（５）  -7.0 ＜ (r1bF+r1bR)/(r1bF-r1bR) ＜ -0.7    
を満足することが好ましい（請求項５）。
【手続補正７】
【補正対象書類名】明細書
【補正対象項目名】００１９
【補正方法】変更
【補正の内容】
【００１９】
請求項１〜５の何れか１項に記載の結像レンズは、最大像高：Ｙ’、無限遠物体に合焦した状態における第２レンズ群の最も像側の面から像面までの距離：Ｂｆが、条件：
（６）  0.8 ＜ Bf/Y’  ＜ 1.6  
を満足することが好ましい（請求項６）。
【手続補正８】
【補正対象書類名】明細書
【補正対象項目名】００２０
【補正方法】変更
【補正の内容】
【００２０】
請求項１〜６の何れか１項に記載の結像レンズは、無限遠物体に合焦した状態における第１レンズ群の最も物体側の面から像面までの距離：Ｌ、第１レンズ群の最も物体側の面から最も像側の面までの距離：Ｌ１が、条件：
（７）  0.20 ＜ L1/L ＜ 0.32    
を満足することが好ましい（請求項７）。
【手続補正９】
【補正対象書類名】明細書
【補正対象項目名】００２１
【補正方法】変更
【補正の内容】
【００２１】
請求項１〜７の何れか１項に記載の結像レンズは、全系の焦点距離：ｆＡ、第１レンズ群の焦点距離：ｆ１が、条件：
（８）  0.0 ＜ fA/f1 ＜ 0.6  
を満足することが好ましい（請求項８）。
【手続補正１０】
【補正対象書類名】明細書
【補正対象項目名】００２２
【補正方法】変更
【補正の内容】
【００２２】
この請求項８記載の結像レンズは、第１ａレンズ群と第１ｂレンズ群の合成焦点距離：ｆ１ａ-１ｂ、第１ｃレンズ群の焦点距離：ｆ１ｃが、条件：  
（９）  -1.3 ＜ f1a-1b/f1c ＜ -0.7  
を満足することが好ましい（請求項９）。
【手続補正１１】
【補正対象書類名】明細書
【補正対象項目名】００２３
【補正方法】変更
【補正の内容】
【００２３】
請求項１〜９の何れか１項に記載の結像レンズは「近距離物体への合焦に際し、第１レンズ群と第２レンズ群との間隔を、無限遠物体に合焦した状態よりも短縮する」ことが好ましい（請求項１０）。
【手続補正１２】
【補正対象書類名】明細書
【補正対象項目名】００２４
【補正方法】変更
【補正の内容】
【００２４】
この請求項１０記載の結像レンズは、無限遠物体に合焦した状態における第１レンズ群と第２レンズ群の間隔：Ａ１-２、「−１／２０倍の結像倍率」で近距離物体に合焦した状態における第１レンズ群と第２レンズ群の間隔：Ａ１-２Ｍ、「−１／２０倍の結像倍率」で近距離物体に合焦した状態における第２レンズ群の最も像側の面から像面までの距離：ＢｆＭ、無限遠物体に合焦した状態における第２レンズ群の最も像側の面から像面までの距離：Ｂｆが、条件：
（１０）  -0.5 ＜ (A1-2M-A1-2)/(BfM-Bf) ＜ -0.2    
を満足することが好ましい（請求項１１）。  
この発明のカメラは、請求項１〜１１の何れか１項に記載の結像レンズを「撮影用光学系として有する」ことを特徴とする（請求項１２）。
【手続補正１３】
【補正対象書類名】明細書
【補正対象項目名】００２５
【補正方法】変更
【補正の内容】
【００２５】
この発明の携帯情報端末装置は、請求項１〜１１の何れか１項に記載の結像レンズを「カメラ機能部の撮影用光学系として有する」ことを特徴とする（請求項１３）。
【手続補正１４】
【補正対象書類名】明細書
【補正対象項目名】００３４
【補正方法】変更
【補正の内容】
【００３４】
第２ｂレンズ群は、負の屈折力を有する。第２ｂレンズ群は「単レンズまたは接合レンズ」とすることができるが、「最も物体側の面」は凹面、「最も像側の面」は凸面とされる。
【手続補正１５】
【補正対象書類名】明細書
【補正対象項目名】００４０
【補正方法】変更
【補正の内容】
【００４０】
従って、条件（１）〜（３）を満足する請求項３記載の結像レンズでは、無理のない収差補正が行えると共に、より小型化が可能な高性能の結像レンズを実現できる。
【手続補正１６】
【補正対象書類名】明細書
【補正対象項目名】００４３
【補正方法】変更
【補正の内容】
【００４３】
条件（１）〜（３）と共に条件（４）を満足する請求項４の結像レンズでは、像面湾曲を十分に低減しながら、より小型で高性能の結像レンズを実現できる。
【手続補正１７】
【補正対象書類名】明細書
【補正対象項目名】００４６
【補正方法】変更
【補正の内容】
【００４６】
従って、条件（５）を満足する請求項５の結像レンズでは、全体の収差レベルをより小さく抑え、さらに高性能の結像レンズを実現できる。
【手続補正１８】
【補正対象書類名】明細書
【補正対象項目名】００４９
【補正方法】変更
【補正の内容】
【００４９】
従って、条件（６）を満足する請求項６の結像レンズでは、より小型に収納可能であり、各収差をより良好に補正した高性能の結像レンズを実現できる。
【手続補正１９】
【補正対象書類名】明細書
【補正対象項目名】００５２
【補正方法】変更
【補正の内容】
【００５２】
従って、条件（７）を満足する請求項７の結像レンズでは、各収差をより良好に補正し、射出瞳位置を十分に像面から遠ざけた小型で高性能の結像レンズを実現できる。
【手続補正２０】
【補正対象書類名】明細書
【補正対象項目名】００５３
【補正方法】変更
【補正の内容】
【００５３】
条件（８）は、結像レンズ全系と第１レンズ群との屈折力のバランスに関する条件である。この発明の結像レンズにおいて、第１レンズ群は「正の屈折力」を有するが、略アフォーカルで、第２レンズ群に付加したワイドコンバータのような役割を果たしていると考えることもできる。しかし、実際の収差補正の上では「第１レンズ群が完全にアフォーカルである」ことが最良ではない。
【手続補正２１】
【補正対象書類名】明細書
【補正対象項目名】００５４
【補正方法】変更
【補正の内容】
【００５４】
即ち、第１レンズは「アフォーカルに極めて近い状態を含む正の屈折力」を持つ。
【手続補正２２】
【補正対象書類名】明細書
【補正対象項目名】００５７
【補正方法】変更
【補正の内容】
【００５７】
従って、条件（８）を満足する請求項８の結像レンズでは、像面の平坦性などを向上し、さらに高性能の結像レンズを実現できる。
【手続補正２３】
【補正対象書類名】明細書
【補正対象項目名】００６０
【補正方法】変更
【補正の内容】
【００６０】
従って、条件（８）、（９）を満足する請求項１０の結像レンズでは、小型化と高性能化をより適切にバランスさせた結像レンズを実現できる。
【手続補正２４】
【補正対象書類名】明細書
【補正対象項目名】００６２
【補正方法】変更
【補正の内容】
【００６２】
この発明の結像レンズは請求項９のように「近距離物体への合焦に際し、無限遠物体に合焦した状態よりも第１レンズ群と第２レンズ群との間隔」を短縮することが好ましい。
【手続補正２５】
【補正対象書類名】明細書
【補正対象項目名】００６４
【補正方法】変更
【補正の内容】
【００６４】
条件（１０）は、請求項１０記載のフォーカシングを行なう場合の「像面湾曲」の発生を有効に抑制する条件であり、パラメータ：(Ａ１−２Ｍ−Ａ１−２)／(ＢｆＭ−Ｂｆ)が下限値：−０．５以下になると「第１レンズ群と第２レンズ群との間隔の変化」が過大となり、無限遠に比較して近距離で「マイナスの像面湾曲」が発生しやすい。  
パラメータ：(Ａ１−２Ｍ−Ａ１−２)／(ＢｆＭ−Ｂｆ)が上限値：−０．２以上になると「第１レンズ群と第２レンズ群との間隔の変化」が十分で無く、無限遠に比較して近距離で「プラスの像面湾曲」が発生しやすい。
【手続補正２６】
【補正対象書類名】明細書
【補正対象項目名】００６５
【補正方法】変更
【補正の内容】
【００６５】
従って、条件（１０）を満足する請求項９、１０の結像レンズでは、有限距離物体へのフォーカシングに伴う結像性能の変化を抑制した高性能で小型の結像レンズとして実現できる。
【手続補正２７】
【補正対象書類名】明細書
【補正対象項目名】００７４
【補正方法】変更
【補正の内容】
【００７４】
このような結像レンズを用いる請求項１２のカメラや請求項１３の携帯情報端末装置は、小型・高画質で携帯性に優れたカメラ・携帯情報端末装置として実現できる。
【手続補正２８】
【補正対象書類名】特許請求の範囲
【補正対象項目名】全文
【補正方法】変更
【補正の内容】
【特許請求の範囲】
【請求項１】
物体側から像側へ向かって順に、第１レンズ群、開口絞り、第２レンズ群を配設してなり、第１レンズ群は正の屈折力を有し、第２レンズ群は正の屈折力を有する結像レンズにおいて  
第１レンズ群を、物体側から像側へ向かって順に、像側に曲率の大きな面を向けた負レンズからなる第１ａレンズ群、物体側に曲率の大きな面を向けた負レンズからなる第１ｂレンズ群、正の屈折力を有する第１ｃレンズ群を配設して構成し、  
第２レンズ群を、物体側から像側へ向かって順に、両凸レンズと両凹レンズを接合してなり正の屈折力を有する第２ａレンズ群、負の屈折力を有する第２ｂレンズ群、正レンズからなる第２ｃレンズ群を配設して構成し、
第２ｂレンズ群の、最も物体側の面を凹面、最も像側の面を凸面としたことを特徴とする結像レンズ。
【請求項２】
請求項１記載の結像レンズにおいて、
第１ｃレンズ群、第２ｂレンズ群は、共に２枚以下のレンズから構成されることを特徴とする結像レンズ。
【請求項３】
請求項１または２記載の結像レンズにおいて、
無限遠物体に合焦した状態における第１レンズ群の最も物体側の面から像面までの距離：Ｌ、最大像高：Ｙ’、第２ｂレンズ群の焦点距離：ｆ２ｂ、第２レンズ群の焦点距離：ｆ２、第２ｂレンズ群の最も物体側の面の曲率半径：ｒ２ｂＦ、第２ｂレンズ群の最も像側の面の曲率半径：ｒ２ｂＲが、条件：
（１）  2.8 ＜ L/Y’  ＜ 4.3
（２）  -3.0 ＜ f2b/f2 ＜ -0.4
（３）  -6.0 ＜ (r2bF+r2bR)/(r2bF-r2bR) ＜ -2.0
を満足することを特徴とする結像レンズ。
【請求項４】
請求項３記載の結像レンズにおいて、
第２ｂレンズ群を構成するレンズの屈折率の平均値：ｎｄ２ｂが、条件：
（４）  1.80 ＜ nd2b ＜ 2.20
を満足することを特徴とする結像レンズ。
【請求項５】
請求項１〜４の何れか１項に記載の結像レンズにおいて、
第１ｂレンズ群を構成する負レンズの、物体側面の曲率半径：ｒ１ｂＦ、および、像側面の曲率半径：ｒ１ｂＲが、条件：
（５）  -7.0 ＜ (r1bF+r1bR)/(r1bF-r1bR) ＜ -0.7
を満足することを特徴とする結像レンズ。
【請求項６】
請求項１〜５の何れか１項に記載の結像レンズにおいて、
最大像高：Ｙ’、無限遠物体に合焦した状態における第２レンズ群の最も像側の面から像面までの距離：Ｂｆが、条件：
（６）  0.8 ＜  Bf/Y’  ＜ 1.6
を満足することを特徴とする結像レンズ。
【請求項７】
請求項１〜６の何れか１項に記載の結像レンズにおいて、
無限遠物体に合焦した状態における第１レンズ群の最も物体側の面から像面までの距離：Ｌ、第１レンズ群の最も物体側の面から最も像側の面までの距離：Ｌ１が、条件：
（７）  0.20 ＜ L1/L ＜ 0.32
を満足することを特徴とする結像レンズ。
【請求項８】
請求項１〜７の何れか１項に記載の結像レンズにおいて、
全系の焦点距離：ｆＡ、第１レンズ群の焦点距離：ｆ１が、条件：
（８）  0.0 ＜ fA/f1 ＜ 0.6 
を満足することを特徴とする結像レンズ。
【請求項９】
請求項８記載の結像レンズにおいて、
第１ａレンズ群と第１ｂレンズ群の合成焦点距離：ｆ１ａ-１ｂ、第１ｃレンズ群の焦点距離：ｆ１ｃが、条件：
（９）  -1.3 ＜ f1a-1b/f1c ＜ -0.7
を満足することを特徴とする結像レンズ。
【請求項１０】
請求項１〜８の何れか１項に記載の結像レンズにおいて、
近距離物体への合焦に際し、第１レンズ群と第２レンズ群との間隔を、無限遠物体に合焦した状態よりも短縮することを特徴とする結像レンズ。
【請求項１１】
請求項１０記載の結像レンズにおいて、
無限遠物体に合焦した状態における第１レンズ群と第２レンズ群の間隔：Ａ１-２、−１／２０倍の結像倍率で近距離物体に合焦した状態における第１レンズ群と第２レンズ群の間隔：Ａ１-２Ｍ、上記−１／２０倍の結像倍率で近距離物体に合焦した状態における第２レンズ群の最も像側の面から像面までの距離：ＢｆＭ、無限遠物体に合焦した状態における第２レンズ群の最も像側の面から像面までの距離：Ｂｆが、条件：
（１０）  -0.5 ＜ (A1-2M-A1-2)/(BfM-Bf) ＜ -0.2
を満足することを特徴とする結像レンズ。
【請求項１２】
請求項１〜１１の何れか１項に記載の結像レンズを、撮影用光学系として有することを特徴とするカメラ。
【請求項１３】
請求項１〜１１の何れか１項に記載の結像レンズを、カメラ機能部の撮影用光学系として有することを特徴とする携帯情報端末装置。